(57)【要約】【課題】吸収体がよれにくく、かつフィット性が良好な吸収性物品を提供する。【解決手段】吸収性コア２１及びカバーシート２２を有する吸収体２と、トップシート３と、バックシート４とを備えたナプキン１であって、吸収性コア２１はパルプを含んでおり、吸収体２とトップシート３との間には表面接着剤５１が設けられ、吸収性コア２１とカバーシート２２との間には吸収体接着剤５２が設けられており、吸収体２は、幅方向の中央部において長手方向に沿って設けられ、肌側に折れ曲がるように誘導する折り曲げ誘導部２３を有し、少なくとも吸収性コア２１及びカバーシート２２は、複数の点状圧搾部２４を有し、表面接着剤５１が設けられた領域の面積は、吸収体接着剤５２が設けられた領域の面積よりも小さい。【選択図】図３
2017046786.tif 000002
【特許請求の範囲】
【請求項１】
長手方向、幅方向、及び厚さ方向を備え、
吸収性コア、及び前記吸収性コアよりも前記厚さ方向の非肌側に配置されたカバーシートを有する吸収体と、
前記吸収体よりも前記厚さ方向の肌側に配置された液透過性シートと、
前記吸収体よりも前記非肌側に配置された液不透過性シートと、
を備えた吸収性物品であって、
前記吸収性コアはパルプを含んでおり、
前記吸収体と前記液透過性シートとの間には第１接着剤が設けられ、
前記吸収性コアと前記カバーシートとの間には第２接着剤が設けられており、
前記吸収体は、前記幅方向の中央部において前記長手方向に沿って設けられ、前記肌側に折れ曲がるように誘導する折り曲げ誘導部を有し、
少なくとも前記吸収性コア及び前記カバーシートは、複数の点状圧搾部を有し、
前記第１接着剤が設けられた領域の面積は、前記第２接着剤が設けられた領域の面積よりも小さい
ことを特徴とする吸収性物品。
【請求項２】
請求項１に記載の吸収性物品であって、
前記点状圧搾部は、少なくとも一部が前記第２接着剤が設けられた領域に重なっている
ことを特徴とする吸収性物品。
【請求項３】
請求項２に記載の吸収性物品であって、
前記長手方向に沿った帯状の領域に設けられた前記第２接着剤が、前記幅方向に複数並んでおり、
前記点状圧搾部の前記幅方向の寸法が、前記第２接着剤が設けられた領域の前記幅方向の間隔よりも大きい
ことを特徴とする吸収性物品。
【請求項４】
請求項１〜３のいずれかに記載の吸収性物品であって、
前記折り曲げ誘導部は、前記肌側に向かって窪んだ窪みを前記非肌側に有している線状の圧縮部である
ことを特徴とする吸収性物品。
【請求項５】
請求項１〜４のいずれかに記載の吸収性物品であって、
複数の前記点状圧搾部は、前記吸収体の前記長手方向の一端から他端に亘って設けられ、かつ前記幅方向の一端から他端に亘って設けられている
ことを特徴とする吸収性物品。
【請求項６】
請求項１〜５のいずれかに記載の吸収性物品であって、
前記点状圧搾部は、前記幅方向の寸法が前記折り曲げ誘導部の前記幅方向の寸法よりも小さく、
複数の前記点状圧搾部のうち少なくとも一部の前記点状圧搾部は、前記折り曲げ誘導部の前記幅方向の領域内に設けられている
ことを特徴とする吸収性物品。
【発明の詳細な説明】
【技術分野】
【０００１】
本発明は、吸収性物品に関する。
【背景技術】
【０００２】
従来、吸収性物品として、生理用ナプキンが知られている。例えば、特許文献１には、使用者の肌と当接する側から、液透過性シート（トップシート）、経血等の液体を吸収する吸収体（吸収性手段）、及び液不透過性シート（バックシート）を含む積層体からなる生理用ナプキンが開示されている。
【０００３】
この生理用ナプキンは、幅方向の中央部に、長手方向に沿った折り曲げ誘導部（線状の曲げヒンジ）を有している。当該折り曲げ誘導部は、生理用ナプキンの着用時において、使用者の肌側に向かって突出するように折れ曲がることにより凸形をなし、膣口（陰部）にフィットする構造となっている。
【先行技術文献】
【特許文献】
【０００４】
【特許文献１】特開平２−１１１３８号公報
【発明の概要】
【発明が解決しようとする課題】
【０００５】
折り曲げ誘導部を備えた生理用ナプキンを長時間に亘って使用すると、吸収体がよれてしまい経血等の排泄液が外部に漏れてしまう可能性があったため、例えば吸収体を構成する吸収性コア及び当該吸収性コアの非肌側面を保護するカバーシートを接着剤により接着させると共に、複数の点状圧搾部により厚さ方向に一体化することにより、吸収体のよれを抑制している。この場合において、吸収体と液透過性シートとを接着するための接着剤が設けられた面積を吸収性コアとカバーシートとを接着する接着剤が設けられた面積と同じにすると、折り曲げ誘導部が肌側に向かって折れ曲がりにくくなり、膣口へのフィット性が悪くなる。
【０００６】
本発明は、上記のような問題に鑑みてなされたものであって、その目的とするところは、吸収体がよれにくく、かつフィット性が良好な吸収性物品を提供することにある。
【課題を解決するための手段】
【０００７】
上記目的を達成するための主たる発明は、長手方向、幅方向、及び厚さ方向を備え、吸収性コア、及び前記吸収性コアよりも前記厚さ方向の非肌側に配置されたカバーシートを有する吸収体と、前記吸収体よりも前記厚さ方向の肌側に配置された液透過性シートと、前記吸収体よりも前記非肌側に配置された液不透過性シートと、を備えた吸収性物品であって、前記吸収性コアはパルプを含んでおり、前記吸収体と前記液透過性シートとの間には第１接着剤が設けられ、前記吸収性コアと前記カバーシートとの間には第２接着剤が設けられており、前記吸収体は、前記幅方向の中央部において前記長手方向に沿って設けられ、前記肌側に折れ曲がるように誘導する折り曲げ誘導部を有し、少なくとも前記吸収性コア及び前記カバーシートは、複数の点状圧搾部を有し、前記第１接着剤が設けられた領域の面積は、前記第２接着剤が設けられた領域の面積よりも小さいことを特徴とする吸収性物品である。本発明の他の特徴については、本明細書及び添付図面の記載により明らかにする。
【発明の効果】
【０００８】
本発明によれば、吸収体がよれにくく、かつフィット性が良好となる。
【図面の簡単な説明】
【０００９】
【図１】本発明の実施形態に係るナプキンを厚さ方向の肌側から見た概略平面図である。
【図２】ナプキンを厚さ方向の非肌側から見た概略平面図である。
【図３】図１のIII−III線断面図である。
【図４】ナプキンの使用態様、及び着用時におけるナプキンの状態について説明する説明図である。
【図５】吸収体を厚さ方向の非肌側から見た概略平面図である。
【図６】吸収体を幅方向に沿って切断した場合における折り曲げ誘導部周辺の拡大模式図である。
【図７】吸収体を厚さ方向の非肌側から見た場合における折り曲げ誘導部周辺の拡大模式図である。
【図８】折り曲げ誘導部の形成過程を示す説明図であり、図８Ａは吸収体を装置に設置した状態を示し、図８Ｂは折り曲げ誘導部を形成している状態を示し、図８Ｃは折り曲げ誘導部が形成された後の吸収体を示している。
【図９】表面接着剤が設けられた状態について示す概略平面図である。
【図１０】吸収体接着剤が設けられた状態について示す概略平面図及び一部拡大図である。
【発明を実施するための形態】
【００１０】
本明細書及び添付図面の記載により、少なくとも以下の事項が明らかとなる。
【００１１】
長手方向、幅方向、及び厚さ方向を備え、吸収性コア、及び前記吸収性コアよりも前記厚さ方向の非肌側に配置されたカバーシートを有する吸収体と、前記吸収体よりも前記厚さ方向の肌側に配置された液透過性シートと、前記吸収体よりも前記非肌側に配置された液不透過性シートと、を備えた吸収性物品であって、前記吸収性コアはパルプを含んでおり、前記吸収体と前記液透過性シートとの間には第１接着剤が設けられ、前記吸収性コアと前記カバーシートとの間には第２接着剤が設けられており、前記吸収体は、前記幅方向の中央部において前記長手方向に沿って設けられ、前記肌側に折れ曲がるように誘導する折り曲げ誘導部を有し、少なくとも前記吸収性コア及び前記カバーシートは、複数の点状圧搾部を有し、前記第１接着剤が設けられた領域の面積は、前記第２接着剤が設けられた領域の面積よりも小さい吸収性物品が明らかとなる。
【００１２】
このような吸収性物品によれば、吸収体が複数の点状圧搾部を有すると共に、吸収性コアとカバーシートとが第２接着剤により接着されているため、吸収性物品の長時間の使用による吸収体のよれを抑制することができる。さらに、吸収体と液透過性シートとの間における第１接着剤が設けられた領域の面積を第２接着剤が設けられた領域の面積よりも小さくすることにより、吸収体よりも肌側において剛性が高くなり過ぎず、折り曲げ誘導部の折れ曲がり形状を安定的に維持することが可能となる。
【００１３】
かかる吸収性物品であって、前記点状圧搾部は、少なくとも一部が前記第２接着剤が設けられた領域に重なっていることが望ましい。
【００１４】
このような吸収性物品によれば、第２接着剤が設けられた領域に点状圧搾部の少なくとも一部が必ず重なるため、吸収性コアとカバーシートとが点状圧搾部のみで接合されている場合や第２接着剤のみで接着されている場合と比べて、吸収性コアとカバーシートとの結合が当該重なり部分において強くなりやすく、吸収性物品を長時間使用しても吸収体がよれにくい。
【００１５】
かかる吸収性物品であって、前記長手方向に沿った帯状の領域に設けられた前記第２接着剤が、前記幅方向に複数並んでおり、前記点状圧搾部の前記幅方向の寸法が、前記第２接着剤が設けられた領域の前記幅方向の間隔よりも大きいことが望ましい。
【００１６】
このような吸収性物品によれば、点状圧搾部における幅方向の領域のいずれかに第２接着剤が設けられた領域が配置されることによって吸収性コアとカバーシートとの結合がより強くなり、吸収体のよれをさらに抑制することができる。
【００１７】
かかる吸収性物品であって、前記折り曲げ誘導部は、前記肌側に向かって窪んだ窪みを前記非肌側に有している線状の圧縮部であることが望ましい。
【００１８】
このような吸収性物品によれば、折り曲げ誘導部における肌側に向かって窪んだ窪みが形成される際にカバーシートが肌側に向かって引っ張られる。また、本吸収性物品の着用時において、下着を引き上げる動作時に折り誘導部が肌側に突出するように誘導される。このとき、カバーシートが引っ張られている方向と折り曲げ誘導部の誘導方向とが肌側方向で一致しているため、折り曲げ誘導部の肌側に突出しようとする動きが阻害されにくくなる。また、折り曲げ誘導部が線状の圧縮部であるため、長手方向に沿った折り目を付けることにより折り曲げ誘導部を形成した場合と比べて、安定して折れ曲がり形状が維持されるため、吸収性物品を長時間使用した場合であっても折れ曲がり形状が崩れにくくなる。
【００１９】
かかる吸収性物品であって、複数の前記点状圧搾部は、前記吸収体の前記長手方向の一端から他端に亘って設けられ、かつ前記幅方向の一端から他端に亘って設けられていることが望ましい。
【００２０】
このような吸収性物品によれば、複数の点状圧搾部が吸収体の長手方向の全体及び幅方向の全体に亘って設けられているため、経血等の液体が吸収体の端まで拡散しやすくなり、折り曲げ誘導部に液体が溜まってしまうことを抑制することができ、折り曲げ誘導部の折れ曲がり形状を維持することが可能となる。
【００２１】
かかる吸収性物品であって、前記点状圧搾部は、前記幅方向の寸法が前記折り曲げ誘導部の前記幅方向の寸法よりも小さく、複数の前記点状圧搾部のうち少なくとも一部の前記点状圧搾部は、前記折り曲げ誘導部の前記幅方向の領域内に設けられていることが望ましい。
【００２２】
このような吸収性物品によれば、折り曲げ誘導部の幅方向の寸法よりも小さい幅方向の寸法を有する点状圧搾部が折り曲げ誘導部の幅方向の領域内に設けられていることにより、当該折り曲げ誘導部内に粗密が形成される。これにより、経血等の液体が流動するための流路が圧縮部内に確保されて液体が長手方向に拡散しやすくなり、圧縮部に液体が溜まってしまうことを抑制して折れ曲がり形状を維持することが可能となる。
【００２３】
＝＝＝実施形態＝＝＝
本発明の実施形態に係る吸収性物品の一例として、生理用ナプキン１（以下では、単にナプキン１とする）について説明する。なお、当該吸収性物品には、所謂おりものシート（例えばパンティライナー）等も含まれており、生理用ナプキンに限定されるものではない。
【００２４】
＜ナプキン１の構成＞
まず、ナプキン１の構成について、図１〜図３を参照して説明する。
【００２５】
図１は、本発明の実施形態に係るナプキン１を厚さ方向の肌側から見た概略平面図である。図２は、ナプキン１を厚さ方向の非肌側から見た概略平面図である。図３は、図１のIII−III線断面図である。
【００２６】
ナプキン１は、図１及び図２に示すように、平面視縦長形状のシート状部材であり、長手方向、幅方向、及び厚さ方向を備える。以下の説明において、「長手方向」とは、ナプキン１の製品の長手方向を示し、「厚さ方向」とは、ナプキン１の製品が有する厚みの方向を示し、「幅方向」とは、長手方向及び厚さ方向に直交する短手方向を示す。なお、長手方向において、ナプキン１の使用時における使用者の腹側の方向を「前方」とし、使用者の背側の方向を「後方」とする。また、厚さ方向は、ナプキン１の使用時において使用者の肌と接する側となる「肌側」と、その反対側となる「非肌側」とを有する。
【００２７】
ナプキン１は、図３に示すように、吸収体２、トップシート３、及びバックシート４を備え、厚さ方向の肌側から非肌側へ向かってトップシート３、吸収体２、バックシート４の順に積層されている。すなわち、トップシート３は吸収体２よりも厚さ方向の肌側に配置され、バックシート４は吸収体２よりも厚さ方向の非肌側に配置されている。
【００２８】
吸収体２とトップシート３との間には表面接着剤５１が設けられており、本実施形態では、当該表面接着剤５１によって吸収体２とトップシート３とが接着されている。なお、必ずしも吸収体２とトップシート３とが直接接着されている必要はなく、例えば吸収体２とトップシート３との間に所謂セカンドシートが設けられていてもよい。また、吸収体２とバックシート４との間には裏面接着剤５３が設けられており、当該裏面接着剤５３によって吸収体２とバックシート４とが接着されている。
【００２９】
トップシート３は、経血等の液体を厚さ方向の肌側から非肌側に透過させる透過性シートの一態様であり、ナプキン１の使用時において使用者の肌に当接する。図１に示すように、トップシート３は、平面視において吸収体２よりも大きく形成され、厚さ方向の肌側から吸収体２を覆っている。
【００３０】
トップシート３は、吸収体２よりも長手方向及び幅方向の外側に位置した外周部３１（図１において砂地で示す）と、長手方向の略中央において幅方向の両側に張り出した一対の張り出し部３２とを有している。なお、図１では、吸収体２を破線で示し、外周部３１の内側の縁を二点鎖線で示している。
【００３１】
なお、トップシート３は、液透過性の柔軟なシート部材であればよいが、吸収体２よりも密度が低い不織布（例えばエアスルー不織布等）であるとより望ましい。この場合、毛管現象を利用することができ、トップシート３から吸収体２へ液体が浸透しやすくなる。ここで、「毛管現象」とは、液体中に入れた細い管の内部や固体壁間の隙間等で液面が外側の自由表面より上昇する現象をいい、この作用は隙間が狭いほど強くなる。
【００３２】
本実施形態において、液体はトップシート３内に形成された繊維の隙間や吸収体２内に形成された繊維の隙間を流動して各部材に浸透する。そして、隙間が狭いほど液体の浸透速度が速まるため、トップシート３の密度よりも吸収体２の密度が高い（隙間が狭い）場合にはトップシート３側から吸収体２側へと液体が浸透しやすくなる。これにより、液体がトップシート３の表面（肌側面）上を流れてしまうといった問題や、吸収体２の内部に吸収された液体がトップシート３の表面上に逆流（液戻り）してしまうといった問題を回避することができる。
【００３３】
吸収体２は、経血等の液体を吸収して内部に保持する部材であり、図３に示すように、パルプを含む吸収性コア２１と、吸収性コア２１よりも厚さ方向の非肌側に配置されたカバーシート２２とを有している。
【００３４】
吸収性コア２１とカバーシート２２との間には吸収体接着剤５２が設けられており、本実施形態では、当該吸収体接着剤５２によって吸収性コア２１とカバーシート２２とが接着されている。なお、必ずしも吸収性コア２１とカバーシート２２とが直接接着されている必要はなく、吸収性コア２１とカバーシート２２との間に他のシート部材等が設けられていてもよい。
【００３５】
本実施形態では、ナプキン１を低コストにて製造すべく、吸収性コア２１はパルプのみからなっているが、これに限らず、吸収性コア２１としてパルプ等の液体吸収繊維に加えて高吸収性ポリマー（所謂ＳＡＰ）等の液体吸収性粒状物を加えたものを用いてもよい。
【００３６】
図１及び図２に示すように、吸収体２は、幅方向の中央部において長手方向に沿って設けられ厚さ方向の肌側に折れ曲がるように誘導する折り曲げ誘導部２３を有している。ここで、「幅方向の中央部」とは、ナプキン１を着用した状態において、使用者の膣口等の排泄口に接触する部分をいう。図１及び図２では、折り曲げ誘導部２３を一点鎖線で示している。
【００３７】
折り曲げ誘導部２３は、製造段階において吸収体２を予め折ることによって形成されたものであってもよいし、例えばエンボス加工やスリット状の溝（ヒンジ）等によって形成されたものであってもよい。本実施形態における折り曲げ誘導部２３の構成については、後述することとする。
【００３８】
また、図３に示すように、吸収体２において、少なくとも吸収性コア２１及びカバーシート２２は、複数の点状圧搾部２４を有している。この「圧搾部」では、少なくとも吸収性コア２１及びカバーシート２２が厚さ方向に圧搾された状態となっている。すなわち、吸収性コア２１とカバーシート２２とは、吸収体接着剤５２の他に、複数の点状圧搾部２４により厚さ方向に接合された状態で一体化されている。図３では、点状圧搾部２４を破線で示している。
【００３９】
ここで、「点状」とは、面積を有しない任意の点の周囲に形成される領域を含むものであり、所定の形状及び面積を有している。この点状圧搾部２４では、吸収体２に対して厚さ方向に圧力を加えることによって、吸収性コア２１及びカバーシート２２の厚みが薄くなっており、密度が周囲よりも高い状態となっている。
【００４０】
これにより、吸収性コア２１を構成するパルプの層間が剥離しにくくなるため、吸収性コア２１の層間剥離によって吸収体２がよれやすくなってしまうといった事態を抑制することが可能となる。そして、複数の点状圧搾部２４及び吸収体接着剤５２により、吸収性コア２１とカバーシート２２との接合強度が高まり、吸収性コア２１を構成するパルプの層間が剥離しにくくなるため、吸収体２のよれをさらに抑制することができる。
【００４１】
本実施形態における複数の点状圧搾部２４では、吸収性コア２１及びカバーシート２２が厚さ方向に圧搾された状態となっているが、少なくとも吸収性コア２１及びカバーシート２２が厚さ方向に圧搾された状態となっていればよく、この他にも例えば、吸収性コア２１、カバーシート２２、及びトップシート３が厚さ方向に圧搾された状態となっていてもよい。換言すれば、吸収性コア２１及びカバーシート２２（吸収体２）並びにトップシートが、複数の点状圧搾部２４を有していてもよい。
【００４２】
このように、複数の点状圧搾部２４により吸収性コア２１及びカバーシート２２に加えてトップシート３も厚さ方向に接合された状態で一体化することで、吸収体２のよれをさらに抑制することができる。
【００４３】
図１及び図３に示すように、吸収体２とトップシート３とは、複数の線状圧搾部３３により厚さ方向に接合された状態で一体化されている。点状圧搾部２４と同様に、線状圧搾部３３では、吸収体２及びトップシート３に対して厚さ方向に圧力を加えることによって、吸収体２及びトップシート３の厚みが薄くなっており、密度が周囲よりも高い状態となっている。複数の線状圧搾部３３は、吸収体２の外縁に沿って連なって設けられており、全体として長手方向の細長い環状をなしている。図３では、線状圧搾部３３を破線で示している。
【００４４】
バックシート４は、防漏機能を有する液不透過性シートの一態様であり、例えばポリエチレン（ＰＥ）等の樹脂フィルムを用いることができる。すなわち、バックシート４は、ナプキン１の使用時において、トップシート３を透過して吸収体２に吸収された液体が下着等の着衣（非肌側）に染み出すことを抑制するものである。
【００４５】
図２に示すように、バックシート４は、トップシート３と同様に、平面視において吸収体２よりも大きく形成されている。バックシート４は、吸収体２よりも長手方向及び幅方向の外側に位置した外周部４１（図２おいて砂地で示す）と、長手方向の略中央において幅方向の両側に張り出した一対の張り出し部４２とを有している。なお、図２では、吸収体２を破線で示し、外周部４１の内側の縁を二点鎖線で示している。
【００４６】
ナプキン１は、前述したトップシート３の外周部３１（図１参照）とバックシート４の外周部４１とが接着又は溶着により接合されて、吸収体２がトップシート３とバックシート４との間に保持される構造となっている。また、トップシート３の一対の張り出し部３２（図１参照）とバックシート４の一対の張り出し部４２とが接合されることにより、ナプキン１を下着等に載置固定するための所謂ウイングが構成されている。
【００４７】
図２に示すように、バックシート４の非肌側面には、長手方向に沿った帯状の本体粘着部５４１が折り曲げ誘導部２３にあたる部分の幅方向両側にそれぞれ４つずつ設けられていると共に、長手方向に長辺を有する長方形状のウイング粘着部５４２が一対の張り出し部４２にそれぞれ２つずつ設けられている。
【００４８】
ナプキン１を使用する際には、本体粘着部５４１を下着等の股下部の内側に貼り付けると共に、一対のウイング（一対の張り出し部３２，４２）を非肌側に向かって折り曲げて一対のウイング粘着部５４２を股下部の外側に貼り付けてナプキン１を下着等に固定する。
【００４９】
＜ナプキン１の使用態様について＞
次に、ナプキン１の使用態様について、図４を参照して説明する。
【００５０】
図４は、ナプキン１の使用態様、及び着用時におけるナプキン１の状態について説明する説明図である。
【００５１】
使用者６がナプキン１を装着する際には、ナプキン１を下着の股下部に固定させた状態で下着を使用者６の股間６０側に引き上げる。このとき、ナプキン１の吸収体２には折り曲げ誘導部２３が設けられているため、ナプキン１は、幅方向の中央部が肌側（図４における上側）に突出するように折れ曲がった状態で引き上げられると共に、幅方向の両端部が下着のゴムによって引き上げられる。
【００５２】
ナプキン１が使用者６の股間６０に装着された状態においては、状態Ｂに示すように、折り曲げ誘導部２３が膣口等の排泄口６０ａが存在する陰唇に接触する。これにより、ナプキン１の良好なフィット性を使用者６に感じさせると共に、経血等の排泄液を外部に漏らすことなく吸収体２に吸収させることが可能となる。
【００５３】
また、使用者６の股を閉じる力がナプキン１に働いた際に、折り曲げ誘導部２３及び任意の点状圧搾部２４（図３参照）が起点となり、ナプキン１はＷ字に折り畳まれやすくなる。これにより、使用者６の股間６０にナプキン１がよりフィットしやすくなるため、例えば使用者６が１２時間以上という長時間に亘ってナプキン１を繰り返し使用するような環境下であっても、吸収体２がよれてしまう（型崩れしてしまう）ことを抑制することができる。
【００５４】
＜吸収体２の構成＞
次に、吸収体２の構成について、図５〜図８を参照して説明する。
【００５５】
図５は、吸収体２を厚さ方向の非肌側から見た概略平面図である。なお、図５では、トップシート３及びバックシート４の外縁を二点鎖線で示している。図６は、吸収体２を幅方向に沿って切断した場合における折り曲げ誘導部２３周辺の拡大模式図である。図７は、吸収体２を厚さ方向の非肌側から見た場合における折り曲げ誘導部２３周辺の拡大模式図である。図８Ａ〜Ｃは、折り曲げ誘導部２３の形成過程を示す説明図であり、図８Ａは吸収体２を装置に設置した状態を示し、図８Ｂは折り曲げ誘導部２３を形成している状態を示し、図８Ｃは折り曲げ誘導部２３が形成された後の吸収体２を示している。
【００５６】
（点状圧搾部２４の構成）
まず、点状圧搾部２４の構成について、図５〜図７を参照して説明する。
【００５７】
図５に示すように、平面視において円形状を有した複数の点状圧搾部２４が、吸収体２の長手方向の一端から他端に亘って設けられ、かつ幅方向の一端から他端に亘って設けられている。複数の点状圧搾部２４の間には、吸収性コア２１及びカバーシート２２が厚さ方向に圧搾されずに、点状圧搾部２４における密度よりも低い密度を有する部分が存在し、当該部分が液体の流路となる（図７参照）。
【００５８】
したがって、吸収体２に吸収された液体は、複数の点状圧搾部２４の間に形成された当該流路を流動して吸収体２の長手方向の両端及び幅方向の両端まで拡散される。これにより、折り曲げ誘導部２３に液体が溜まってしまうことを抑制して折り曲げ誘導部２３の折れ曲がり形状を維持し、ナプキン１のフィット性を良好に保つことが可能となる。
【００５９】
また、吸収体２内において密度の高い部分と低い部分とが存在することにより、すなわち粗密が形成されることにより、前述した毛管現象を有効に利用して液体をすばやく拡散させることが可能となっている。したがって、複数の点状圧搾部２４は、隣り合う点状圧搾部２４が重ならない程度に間隔をできる限り狭くし、吸収体２の長手方向及び幅方向に亘って多くの点状圧搾部２４が設けられていることが望ましい。
【００６０】
本実施形態では、カバーシート２２の幅方向の寸法が吸収性コア２１の幅方向の寸法よりも大きく、点状圧搾部２４はカバーシート２２の長手方向の一端から他端に亘って設けられ、かつ幅方向の一端から他端に亘って設けられている。図５では、吸収性コア２１を破線で示し、折り曲げ誘導部２３を一点鎖線で示している。
【００６１】
なお、複数の点状圧搾部２４は、必ずしも吸収体２の長手方向の一端から他端に亘って設けられ、かつ幅方向の一端から他端に亘って設けられている必要はなく、少なくとも吸収性コア２１及びカバーシート２２が圧搾されたものであればよい。
【００６２】
図６に示すように、点状圧搾部２４では、吸収体２（カバーシート２２）が非肌側から圧搾された状態となっている。点状圧搾部２４の形成方法としては、例えば吸収体２の肌側面を平坦な台上に置き、非肌側面から台に向かってピンを押し付けて圧搾する所謂エンボス加工が挙げられる。図６において矢印で示すように、点状圧搾部２４が形成された際、カバーシート２２は肌側に向かって引っ張られた状態となる。
【００６３】
点状圧搾部２４は、肌側に向かって窪んだ第１の窪み２４１を非肌側に有している。この第１の窪み２４１の肌側では、吸収性コア２１及びカバーシート２２が厚さ方向に圧搾された状態となっている。第１の窪み２４１は、具体的には、非肌側に開口し、カバーシート２２の非肌側面が圧搾された被圧搾面２４１ａを肌側に有している。なお、点状圧搾部２４は、非肌側に向かって窪んだ第２の窪み２４２を肌側に有する場合がある。この第２の窪み２４２の非肌側では、吸収性コア２１が厚さ方向に圧搾された状態となっている。
【００６４】
本実施形態では、断面が円形状のピンを用いて点状圧搾部２４を形成しているため、図５及び図７に示すように、点状圧搾部２４は平面視において円形状を有しているが、必ずしも平面視において円形状である必要はなく、例えば平面視において星形や矩形状、楕円形状であってもよい。
【００６５】
また、点状圧搾部２４では、必ずしも吸収体２（吸収性コア２１及びカバーシート２２）が非肌側から圧搾された状態である必要はなく、吸収体２（吸収性コア２１）が肌側から圧搾された状態であってもよい。この場合、点状圧搾部２４は、第１の窪み２４１を肌側に有し、第２の窪み２４２を非肌側に有することとなる。
【００６６】
図７に示すように、点状圧搾部２４は、幅方向の寸法Ｗ１が折り曲げ誘導部２３の幅方向の寸法Ｗ２よりも小さく（Ｗ１＜Ｗ２）、複数の点状圧搾部２４のうち少なくとも一部（図７では３つ）の点状圧搾部２４は、折り曲げ誘導部２３の幅方向の領域内に設けられている。図７において、３つの点状圧搾部２４は、一点鎖線で示す折り曲げ誘導部２３の幅方向の領域の外側にはみ出していない。
【００６７】
これにより、折り曲げ誘導部２３内において粗密が形成されると共に、液体が流動するための流路が確保される。よって、折り曲げ誘導部２３において液体が長手方向に拡散しやすくなり、特に使用者６の排泄口６０ａ（図４参照）に当たる部分に液体が溜まってしまうことを抑制することができ、折り曲げ誘導部２３の折れ曲がり形状を維持することが可能となる。
【００６８】
なお、必ずしも点状圧搾部２４の幅方向の寸法Ｗ１は、折り曲げ誘導部２３の幅方向の寸法Ｗ２よりも小さい必要はなく、必ずしも折り曲げ誘導部２３の幅方向の領域内に点状圧搾部２４が設けられている必要もない。
【００６９】
（折り曲げ誘導部２３の構成）
次に、折り曲げ誘導部２３の構成について、図６及び図８Ａ〜Ｃを参照して説明する。
【００７０】
図６及び図８Ｃに示すように、折り曲げ誘導部２３は、肌側に向かって窪んだ中央窪み２３１を非肌側に有している線状の圧縮部である。この圧縮部では、吸収性コア２１及びカバーシート２２が厚さ方向に圧縮された状態となっている。当該圧縮部は、図８Ａ及び図８Ｂに示すように、凸部７１０を備えた凸型７１及び凹部７２０を備えた凹型７２によって形成される。
【００７１】
具体的には、図８Ａに示すように、平らに広がった状態（平面状態）の吸収体２を凸型７１と凹型７２との間に配置する。このとき、吸収体２の厚さ方向の非肌側面側に凸型７１が位置し、吸収体２の肌側面側に凹型７２が位置している。なお、凸型７１と凹型７２との間に配置される吸収体２は、予め複数の点状圧搾部２４が設けられた状態のものである。
【００７２】
図８Ｂに示すように、凸型７１と凹型７２とが組み合わされて、凸部７１０が凹部７２０に嵌合することにより吸収体２が厚さ方向に圧縮される。このとき、凸部７１０の先端面７１０ａが吸収体２の非肌側面に当接し、吸収体２の肌側面が凹部７２０の底面７２０ａに当接するように、凸部７１０が吸収体２を凹部７２０内に向かって押し付ける。
【００７３】
これにより、図６及び図８Ｃに示すように、吸収体２には、凸部７１０の形状に応じた中央窪み２３１及び凸部７１０の先端面７１０ａに応じた被圧縮面２３１ａが非肌側に形成される。
【００７４】
図６において矢印で示すように、中央窪み２３１（圧縮部）が形成された際、カバーシート２２は肌側に向かって引っ張られた状態となる。また、前述したように、ナプキン１を着用する際において下着を股間６０側に引き上げる動作時に折り曲げ誘導部２３が肌側に向かって突出するように誘導される（図４参照）。この場合において、カバーシート２２が引っ張られている方向と折り曲げ誘導部２３の誘導方向（図６において矢印で示す）とが肌側方向で一致しているため、折り曲げ誘導部２３の肌側に向かって突出しようとする動きが阻害されにくくなる。
【００７５】
また、折り曲げ誘導部２３が線状の圧縮部であるため、例えば長手方向に沿った折り目を付けることにより折り曲げ誘導部２３を形成した場合と比べて、復元力によって吸収体２が平面状態に戻ってしまうことを抑制することができる。これにより、折り曲げ誘導部２３の折れ曲がり形状が安定して維持されるため、ナプキン１を長時間使用した場合であっても折れ曲がり形状が崩れにくくなる。
【００７６】
＜表面接着剤５１、吸収体接着剤５２、及び点状圧搾部２４の関係＞
次に、表面接着剤５１、吸収体接着剤５２、及び点状圧搾部２４の関係について、図９及び図１０を参照して説明する。
【００７７】
図９は、表面接着剤５１が設けられた状態について示す概略平面図である。なお、図９ではトップシート３を二点鎖線で示している。図１０は、吸収体接着剤５２が設けられた状態について示す概略平面図及び一部拡大図である。なお、図１０では、トップシート３及びバックシート４を二点鎖線で示している。
【００７８】
表面接着剤５１は、図９に示すように、トップシート３の長手方向の一端から他端、かつ吸収性コア２１の幅方向の一端から他端に亘る領域内において、例えばΩパターンやスパイラルパターン等を描いて設けられている。なお、図９では、表面接着剤５１が設けられた領域を斜線で示している。
【００７９】
一方、吸収体接着剤５２は、図１０に示すように、吸収性コア２１の幅方向の一端から他端に亘って複数並んでおり、吸収性コア２１及びカバーシート２２の長手方向に沿った帯状の領域５２ａに設けられている。
【００８０】
表面接着剤５１が設けられた領域の面積は、吸収体接着剤５２が設けられた領域５２ａの総面積よりも小さい。本実施形態では、吸収体接着剤５２は長手方向に沿った帯状（線状）に設けられているため、前述したようなΩパターンやスパイラルパターン等を描いて設けられた表面接着剤５１と比べて幅方向に密に設けることが可能となり、吸収体接着剤５２が設けられた領域５２ａの総面積を表面接着剤５１が設けられた領域の面積よりも大きくすることができる。
【００８１】
このように、ナプキン１の厚さ方向の肌側（表面側）に位置する表面接着剤５１が設けられた領域の面積を吸収体２の内部に位置する吸収体接着剤５２が設けられた領域５２ａの総面積よりも小さくすることにより、ナプキン１全体として吸収体２よりも肌側において剛性が高くなり過ぎないため、折り曲げ誘導部２３が使用者の肌側に向かって突出しようとする変形が妨げられにくくなり、変形した折り曲げ誘導部２３が膣口等の排泄口にフィットしやすくなる。
【００８２】
したがって、ナプキン１では、複数の点状圧搾部２４及び吸収体接着剤５２によって吸収体２のよれを抑制するという機能を担保しながらも、表面接着剤５１が設けられた領域の面積を吸収体接着剤５２が設けられた領域５２ａの総面積よりも小さくすることによって折り曲げ誘導部２３の変形が阻害されることを抑制してフィット性を向上させるという機能も同時に担保している。
【００８３】
なお、表面接着剤５１及び吸収体接着剤５２の設け方（塗布パターン）については特に制限はなく、表面接着剤５１が設けられた領域の面積が吸収体接着剤５２が設けられた領域の面積よりも小さくなっていればよい。本実施形態では、吸収体接着剤５２が設けられた領域５２ａが複数存在しているため、「吸収体接着剤５２が設けられた領域５２ａの面積」を「吸収体接着剤５２が設けられた領域５２ａの総面積」と表現している。
【００８４】
図１０における一部拡大図で示すように、点状圧搾部２４は、少なくとも一部が吸収体接着剤５２が設けられた領域５２ａに重なっている。これにより、吸収体接着剤５２が設けられた領域５２ａに点状圧搾部２４の少なくとも一部が必ず重なるため、吸収性コア２１とカバーシート２２とが点状圧搾部２４のみで接合されている場合や吸収体接着剤５２のみで接着されている場合と比べて、吸収性コア２１とカバーシート２２との接合が当該重なり部分において強くなり、ナプキン１を長時間使用した場合であっても吸収体２がよれにくくなる。
【００８５】
そして、本実施形態では、点状圧搾部２４の幅方向の寸法Ｗ１が、吸収体接着剤５２が設けられた領域５２ａの幅方向の間隔Ｗ３よりも大きい（Ｗ１＞Ｗ３）。例えば、吸収体接着剤５２が設けられた領域５２ａの幅方向の間隔Ｗ３が１．３ｍｍであるのに対して、点状圧搾部２４の幅方向の寸法Ｗ１は１．４ｍｍである。したがって、点状圧搾部２４の幅方向の領域のいずれかに吸収体接着剤５２が設けられた領域５２ａが配置される。なお、点状圧搾部２４は必ずしも吸収体接着剤５２が設けられた領域５２ａに重なっている必要はない。
【００８６】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００８７】
上記実施形態に係るナプキン１では、パルプ製の吸収性コア２１及びカバーシート２２からなる吸収体２、液透過性シートとしてのトップシート３、及び液不透過性シートとしてのバックシート４のみから構成されており、吸収体２がよれにくく、かつフィット性が良好なナプキンを最低コストで提供するものである。しかしながら、ナプキン１は、必ずしも当該構成に限定されない。
【符号の説明】
【００８８】
１…ナプキン（吸収性物品）
２…吸収体
３…トップシート（液透過性シート）
４…バックシート（液不透過性シート）
２１…吸収性コア
２２…カバーシート
２３…折り曲げ誘導部
２４…点状圧搾部
５１…表面接着剤（第１接着剤）
５２…吸収体接着剤（第２接着剤）
２３１…中央窪み（窪み）
【図１】
2017046786.tif 000003
【図２】
2017046786.tif 000004
【図３】
2017046786.tif 000005
【図４】
2017046786.tif 000006
【図５】
2017046786.tif 000007
【図６】
2017046786.tif 000008
【図７】
2017046786.tif 000009
【図８】
2017046786.tif 000010
【図９】
2017046786.tif 000011
【図１０】
2017046786.tif 000012
【手続補正書】
【提出日】平成28年10月13日(2016.10.13)
【手続補正１】
【補正対象書類名】明細書
【補正対象項目名】００７８
【補正方法】変更
【補正の内容】
【００７８】
表面接着剤５１は、図９に示すように、トップシート３の長手方向の一端から他端、かつ吸収性コア２１の幅方向の一端から他端に亘る領域内において、例えばΩパターンやスパイラルパターン等を描いて設けられている。なお、図９では、Ωパターンやスパイラルパターン等が設けられた領域を斜線で示している。